(57)【要約】【課題】複数の通信方式を搭載する複合無線装置で、複数の無線通信方式が同時に動作する際、互いに干渉することなく、安定して効率よい通信を実現する。【解決手段】同一周波数帯域で異なる二つの通信方式を含む複合無線装置であって、第１通信方式を用いる第１無線通信部１０２と、第２通信方式を用いる第２無線通信部１０４と、第１及び第２無線通信部の通信状態を管理する管理部１０５と、第２の無線通信部のホッピング周波数制御部１０７と、第１及び第２無線通信部を制御する協調制御部１０６とを有し、ホッピング周波数制御部は、管理部にて検出された第１無線通信部が使用する周波数帯域を外して第２無線通信部の周波数をホッピングさせる際に第２無線通信部の品質低下を検出した場合、協調制御部が第１及び第２無線通信部を時分割に制御し、第１無線通信部で使用する周波数帯域において第２無線通信部手段を周波数ホッピングさせる。【選択図】図２
2011114768.tif 000002
【特許請求の範囲】
【請求項１】
同一の周波数帯域において、無線通信を行う異なる二つの通信方式を含む複合無線装置であって、
第１の通信方式を用いて無線通信を行う第１の無線通信部と、
前記第１の通信方式とは異なる第２の通信方式を用いて無線通信を行う第２の無線通信部と、
前記第１の無線通信部および第２の無線通信部の通信可能チャンネル数等の通信状態を管理する管理部と、
前記第２の無線通信部について周波数ホッピングパターンを制御するホッピング周波数制御部と、
前記第１の無線通信部および前記第２の無線通信部を制御する協調制御部と、を有し、
前記ホッピング周波数制御部は、前記管理部にて検出された第１の無線通信部が使用する周波数帯域を外して、前記第２の無線通信部の周波数をホッピングさせる際に、前記第２の無線通信部の品質低下を検出した場合には、前記協調制御部が前記第１の無線通信部と前記第２の無線通信部を時分割に制御し、かつ、前記第１の無線通信部で使用する周波数帯域において、第２の無線通信部手段を周波数ホッピングさせる制御を行うことを特徴とする複合無線装置。
【請求項２】
請求項１記載の複合無線装置であって、
前記第１の無線通信部および前記第２の無線通信部での時分割に制御する際に、前記第２の無線通信部の通信品質が所定の閾値を上回っていた場合には、前記第１の無線通信部と前記第２の無線通信部の時分割制御を停止し、かつ、前記第２の無線通信部は前記第１の無線通信部で使用する周波数帯域を外して周波数ホッピングすることを特徴とする複合無線装置。
【請求項３】
請求項２記載の複合無線装置であって、
更に、前記通信品質の所定の閾値は、前記第２の無線通信部のＢＥＲおよび周波数ホッピング可能なチャンネル数の値とすることを特徴とする複合無線装置。
【請求項４】
請求項３記載の複合無線装置であって、
更に、前記管理部で管理される前記通信品質の所定の閾値は、前記第２の無線通信部で送受信されるパケットの種別に応じて、設定可能であることを特徴とする複合無線装置。
【発明の詳細な説明】
【技術分野】
【０００１】
本発明は、異なる複数の無線通信方式による無線通信を行う無線通信装置および無線通信方法に関し、特に２．４ＧＨｚ帯を使用するＷＬＡＮ（Ｗｉｒｅｌｅｓｓ  Ｌｏｃａｌ  Ａｒｅａ  Ｎｅｔｗｏｒｋ）とＢｌｕｅｔｏｏｔｈ（登録商標）のような無線通信間の干渉回避の制御に関する。
【背景技術】
【０００２】
近年、無線通信技術の発達に伴い、複数の無線通信方式を搭載する機器が開発されている。例えば、同じ２．４ＧＨｚ帯のＩＳＭ（Ｉｎｄｕｓｔｒｉａｌ Ｓｃｉｅｎｔｉｆｉｃ Ｍｅｄｉｃａｌ）バンドを使用する、ＩＥＥＥ８０２．１１ｂ／ｇのＷＬＡＮとＢｌｕｅｔｏｏｔｈ（登録商標）のような近距離無線装置を両方搭載する機器がある。
このように一つの機器内部で同じ周波数帯を同時に使用する可能性がある場合、干渉が問題となるが、これを回避させるために、ＩＥＥＥ８０２．１１ｂでは直接拡散（ＤＳ：Ｄｉｒｅｃｔ Ｓｅｑｕｅｎｃｅ）方式のスペクトラム拡散技術を使用することにより、または、Ｂｌｕｅｔｏｏｔｈでは周波数ホッピング型のスペクトル拡散方式を使用することによって、干渉による、通信速度の低下、伝送レートの低下を回避することができる。
Ｂｌｕｅｔｏｏｔｈの周波数ホッピング型のスペクトル拡散方式では、周波数軸上で１ＭＨｚ間隔に配置された７９個のチャンネルにおいて、使用する通信周波数を６２５μｓｅｃごとにランダムに変化（ホッピング）している。
また、通信周波数をランダムに変化させる場合において、通信を行う端末間で周波数軸上の同期を図るために、周波数ホッピングの時間変化を規定する周波数ホッピングパターンを共有する。
【０００３】
この場合に、Ｂｌｕｅｔｏｏｔｈ（登録商標）で使用されている適用型周波数ホッピング方法においては、ＷＬＡＮが使っていない周波数帯域を用いることで、互いの干渉を回避することができる。これにより、データを送信しようとするとき、チャンネルが利用されているかどうかを確認するキャリアセンス機能の違いから生じるＷＬＡＮの通信機会低下による、ＷＬＡＮのスループットの低下を防ぐことが可能となる。しかしながら、Ｂｌｕｅｔｏｏｔｈ搭載装置の近傍エリアに複数のＷＬＡＮ搭載機器が存在し、２．４ＧＨｚ帯においてＷＬＡＮが使用する周波数帯域が大部分を占める場合には、近距離無線装置の周波数ホッピングが可能なチャンネル数が少なくなり、近距離無線装置の干渉耐力が低下してしまう。
これは、例えば、複合無線装置の周りに自局のＷＬＡＮ装置が使用するチャンネル以外のＷＬＡＮ等の干渉源が存在した場合には、Ｂｌｕｅｔｏｏｔｈの周波数ホッピング可能なチャンネルを示す、ホッピング周波数マップが図４に示すようになるためである。
（仮のため図番号は変更していません。）
この問題を解決する方法として、例えば、特許文献１には、ＷＬＡＮにおいてＩＥＥＥ８０２．１１ｇ規格のＯＦＤＭ（Ｏｒｔｈｏｇｏｎａｌ Ｆｒｅｑｕｅｎｃｙ Ｄｉｖｉｓｉｏｎ Ｍｕｌｔｉｐｌｅｘｉｎｇ）変調方式を用いる場合に、信号の周波数環境に応じて、そのキャリア数を可変とすることで、周波数帯域を変化させ、一方、近距離無線装置は、ＷＬＡＮ装置が利用していない周波数帯域に適応的に周波数をホッピングさせる方法が記載されている。
【先行技術文献】
【特許文献】
【０００４】
【特許文献１】特許第４１２２７８９号公報
【発明の概要】
【発明が解決しようとする課題】
【０００５】
しかしながら、上記記載の方法においては、ＯＦＤＭ変調方式のキャリア数を変化させるため、ＯＦＤＭ変調方式ではなく、スペクトル拡散方式を用いるＩＥＥＥ８０２．１１ｂ規格では用いることが出来ない。このため、一般的にＩＥＥＥ８０２．１１ｇより通信エリアが広いとされるＩＥＥＥ８０２．１１ｂ規格に適用できないため、ＷＬＡＮの通信エリアの低下を招くという課題がある。また、ＩＥＥＥ８０２．１１ｇにおいては、ＯＦＤＭ変調方式のサブキャリア数は５２と規定されているため、このサブキャリア数を可変とすることは、ＩＥＥＥ８０２．１１ｇ規格に準拠しない。すなわち、接続先となる汎用のアクセスポイント（ＡＰ）を発見した場合でも、そのＡＰとの接続ができなくなる課題がある。
【０００６】
本発明はかかる点に鑑みてなされたものであり、複数の通信方式を搭載する複合無線装置において、複数の無線通信方式が同時に動作する場合に、互いに干渉することなく、安定して効率のよい通信を実現することができる無線通信装置、無線通信方法を提供することを目的とする。
【課題を解決するための手段】
【０００７】
前記課題を解決するために、本発明の複合無線装置は、同一の周波数帯域において、無線通信を行う異なる二つの通信方式を含む複合無線装置であって、第１の通信方式を用いて無線通信を行う第１の無線通信部と、前記第１の通信方式とは異なる第２の通信方式を用いて無線通信を行う第２の無線通信部と、前記第１および第２の無線通信部の無線状態を管理する管理部と、前記第２の無線通信部について周波数ホッピングパターンを制御するホッピング周波数制御部と、前記第１および第２の無線通信部を制御する協調制御部とを有し、前記管理部が検出した第１の無線通信部が使用する周波数帯域を外して、第２の無線通信部の周波数をホッピングさせる制御において、第２の無線通信部の品質低下を検出した場合には、前記制御部が第１と第２の無線通信部を時分割に制御し、第１の無線通信部で使用する周波数帯域においても、第２の無線通信部手段を周波数ホッピングさせる制御を含んでいる。
【０００８】
この構成により、前記第２の無線通信部の通信品質低下を検出した場合に、前記第１の無線通信部と前記第２の無線通信部を時分割に動作させ、前記第２の無線通信部が、前記第１の無線通信部が使用する周波数帯域を周波数ホッピングで使用することにより、前記第２の無線通信部の干渉耐力を向上することが可能となる。
【０００９】
また、本発明の複合無線装置は、前記協調制御部において、前記第１の無線通信部および前記第２の無線通信部を時分割に制御する際に、前記第２の無線通信部の通信品質が所定の閾値を上回った場合には、前記第１の無線通信部と前記第２の無線通信部の時分割制御を停止し、前記第２の無線通信部は前記第１の無線通信部で使用する周波数帯域を外して周波数ホッピングする制御を含んでいる。
【００１０】
この構成により、前記第２の無線通信部の通信状態が良好な場合において、前記第１の無線通信部と前記第２の無線通信部の時分割制御による、前記第１の無線通信部の時間帯域の低下を防ぎ、前記第１の無線通信部と前記第２の無線通信部の時間軸上での干渉を抑圧することが可能となる。
また、本発明の複合無線装置は、前記第２の無線通信部の通信品質を、前記第２の無線通信部のＢＥＲおよび周波数ホッピング可能なチャンネル数の値に基づいて、前記第１の無線通信部と前記第２の無線通信部の協調制御方法を決定する構成を有する。
この構成により、前記第２の無線通信部のホッピング可能周波数だけでなく、ＢＥＲで品質を判定して前記第１の無線通信部と前期第２の無線通信部の制御方法を切替えることで、前記第２の無線通信部において、ＡＦＨの機能を使用しない場合においても、前記第２の無線通信部の干渉耐力の向上を図ることが可能となる。
また、本発明の複合無線装置は、前記管理部で管理される前記通信品質の所定の閾値を、前記第２の無線通信部で送受信されるパケットの種別に応じて、設定可能であることを特徴とする。
この構成により、前記第１の無線通信部と前記第２の無線通信部の協調制御を、前記第２の無線通信部として想定されるＢｌｕｅｔｏｏｔｈ（登録商標）で利用される、ＳＣＯ（Ｓｙｎｃｈｒｏｎｏｕｓ  Ｃｏｎｎｅｃｔｉｏｎ−Ｏｒｉｅｎｔｅｄ）リンクおよびＡＣＬ（Ａｓｙｎｃｈｒｏｎｏｕｓ  Ｃｏｎｎｅｃｔｉｏｎ−Ｌｅｓｓ）リンクの接続タイプや、各リンクで使用される、必要な帯域や品質が異なるパケットの種別に応じたものとすることができる。
Ｂｌｕｅｔｏｏｔｈ（登録商標）では、各アプリケーションによって、リンクやパケットが異なっている。
【００１１】
上記手順により、同一の周波数帯で動作する複数の無線通信方式をもつ複合無線装置において、周波数ホッピング機能を持つ第２の無線通信方式の通信品質に応じて、複数の無線通信方式の制御手段を切替えることにより、第２の無線通信部の通信品質の低下を防ぐことが可能となる。
【発明の効果】
【００１２】
本発明によれば、同一の周波数帯で動作する複数の無線通信方式をもつ複合無線装置において、周波数ホッピング機能を持つ第２の無線通信方式の通信品質が低下した場合には、複数の無線通信方式を時分割により制御し、第１の無線通信方式が使用する周波数帯域においても周波数ホッピングさせることで、通信品質の低下を防ぐことが可能となる。
【図面の簡単な説明】
【００１３】
【図１】本発明の実施の形態に係る無線通信システムの基本構成を示す図
【図２】本実施の形態に係る複合無線装置の構成を示すブロック図
【図３】本実施の形態に係るホッピング周波数マップの一例を示す図
【図４】本実施の形態に係るホッピング周波数マップの一例を示す図
【図５】本実施の形態に係る複合無線装置の時分割制御時のホッピング周波数マップの一例を示す図
【図６】本実施の形態に係るＷＬＡＮとＢｌｕｅｔｏｏｔｈの協調動作を示す図
【図７】本実施の形態に係るＷＬＡＮ起動時における、ＷＬＡＮとＢｌｕｅｔｏｏｔｈの制御動作を選択する処理フロー図
【図８】本実施の形態に係るＷＬＡＮとＢｌｕｅｔｏｏｔｈの同時動作から協調動作を選択する処理フロー図
【図９】本実施の形態に係るＷＬＡＮとＢｌｕｅｔｏｏｔｈの協調動作から同時動作を選択する処理フロー図
【発明を実施するための形態】
【００１４】
以下、本発明の実施の形態について図面を参照して詳細に説明する。
【００１５】
（実施の形態）
図１は、本発明の一実施の形態に係る無線通信システムの基本構成を示す図である。無線通信システムを構成する無線通信装置として、ＩＳＭバンド（２４００〜２４８３．５ＭＨｚ）を共通して使用する複数の無線通信方式を搭載する複合無線装置を無線端末局に適用した例である。
【００１６】
図１において、無線通信システムは、ＩＥＥＥ８０２．１１規格を用いるＷＬＡＮ装置（第１の通信方式）と、近距離無線通信であるＢｌｕｅｔｏｏｔｈ装置（第２の通信方式）を有する複合無線装置１００、キャリア網に接続される携帯電話基地局１０、ＷＬＡＮを用いて接続されるＡＰ（Ａｃｃｅｓｓ Ｐｏｉｎｔ）２０、Ｂｌｕｅｔｏｏｔｈ（登録商標）にて接続される無線ヘッドホン３０を備えて構成される。
【００１７】
図１において、複合無線装置１００は、例えば、ＰＨＳ（Ｐｅｒｓｏｎａｌ Ｈａｎｄｙ−Ｐｈｏｎｅ Ｓｙｓｔｅｍ）／携帯電話機、ＰＤＡ（Ｐｅｒｓｏｎａｌ Ｄｉｇｉｔａｌ Ａｓｓｉｓｔａｎｔｓ）等の携帯端末装置である
携帯電話基地局１０は、複合無線装置１００からの電波をアンテナを経由して送受信し、キャリア網を通じてキャリアサーバーに接続する。
【００１８】
ＡＰ２０は、ＷＬＡＮ接続による通信を行うアクセスポイントであり、所定の間隔毎にネットワークの存在を示すビーコン（Ｂｅａｃｏｎ）を送信し、そのＢＳＳ（Ｂａｓｉｃ Ｓｅｒｖｉｃｅ Ｓｅｔ）で使用されるＣｈａｎｎｅｌ、ＳＳＩＤ（Ｓｅｒｖｉｃｅ Ｓｅｔ Ｉｄｅｎｔｉｆｉｅｒ）等のチャンネル情報を報知する。
【００１９】
無線ヘッドホン３０は、複合無線装置１００とＢｌｕｅｔｏｏｔｈ（登録商標）により接続される機器の一例である。無線ヘッドホンは、複合無線装置１００とＢｌｕｅｔｏｏｔｈ（登録商標）により無線接続され、複合無線装置１００の音楽再生アプリケーションの実行により再生された音声信号を聞くことが出来る。なお、Ｂｌｕｅｔｏｏｔｈにより接続される機器の種類および数は任意である。
【００２０】
図２は、複数の無線通信方式が搭載された複合無線装置１００の構成を示すブロック図である。本実施の形態はＷＬＡＮとＢｌｕｅｔｏｏｔｈ（Ｒ）機能を搭載する携帯電話機に適用した例である。携帯電話機本体のセルラー通信機能部の図示および説明は省略する。
【００２１】
図２において、複合無線装置１００は、ＷＬＡＮ用のアンテナ１０１、ＷＬＡＮ装置１０２、Ｂｌｕｅｔｏｏｔｈ用のアンテナ１０３、Ｂｌｕｅｔｏｏｔｈ装置１０４、管理部１０５、協調制御部１０６を備えて構成される。
【００２２】
ＷＬＡＮ装置１０２（第１の通信方式を用いて無線通信を行う第１の無線通信部に相当）は、ＩＥＥＥ８０２．１１の規格に基づくＷＬＡＮの無線通信を行う装置である。本実施の形態のおいては、ＷＬＡＮ装置１０２は、ホストとデータを送受信するとともに、アンテナ１０１を介して、アクセスポイント２０とのＷＬＡＮ接続を行う。
【００２３】
また、ＷＬＡＮ装置１０２が通信を行う対向は、アクセスポイント２０に限らず、ＷＬＡＮ機能を搭載する移動機のような他の機器でもよく、アドホックモード（アクセスポイント２０を介さず端末間で直接通信を行うこと）での通信を行う場合も含まれる。
【００２４】
Ｂｌｕｅｔｏｏｔｈ装置１０４（第２の通信方式を用いて無線通信を行う第２の無線通信部に相当）は、ＷＬＡＮ装置１０２よりも、微弱な電力を用いて通信を行う装置である。本実施の形態では、Ｂｌｕｅｔｏｏｔｈ装置１０４はホストとデータを送受信するとともに、アンテナ１０３を介して、無線ヘッドホン３０との無線接続を行う。
【００２５】
管理部１０５は、ＷＬＡＮ装置１０２とＢｌｕｅｔｏｏｔｈ装置１０４とで使用される周波数管理を行う。また、ＷＬＡＮ装置１０２と近距離無線装置１０４のＢＥＲ等の通信品質の管理も行う。
【００２６】
協調制御部１０６は、ＷＬＡＮ装置１０２とＢｌｕｅｔｏｏｔｈ装置１０４の送信タイミングの制御を行う。具体的には、各ＷＬＡＮ装置１０２およびＢｌｕｅｔｏｏｔｈ装置１０４にそれぞれ、ＷＬＡＮ＿Ａｃｔｉｖｅ信号およびＢＴ＿Ａｃｔｉｖｅ信号を送信することで、時分割に動作させる。たとえば、協調制御部１０６による、協調動作を行う際には、ＷＬＡＮ装置１０２が通信を行うときに、ＷＬＡＮ＿Ａｃｔｉｖｅ信号を“Ｈ”にし、Ｂｌｕｅｔｏｏｔｈ装置１０４の送信を停止するために、ＢＴ＿Ａｃｔｉｖｅ信号を“Ｌ”とする。また、逆にＢｌｕｅｔｏｏｔｈ装置１０４が通信を行うときは、ＢＴ＿Ａｃｔｉｖｅ信号を“Ｈ”にし、ＷＬＡＮ＿Ａｃｔｉｖｅ信号を“Ｌ”とする。
ホッピング周波数制御部１０７は、Ｂｌｕｅｔｏｏｔｈ装置１０４がＡＦＨ（Ａｄａｐｔｉｖｅ  Ｆｒｅｑｕｅｎｃｙ  Ｈｏｐｐｉｎｇ：適応的に干渉が発生する周波数チャネルを避けてホッピングすること）でホッピングするための周波数帯域を指定するものである。通常、Ｂｌｕｅｔｏｏｔｈ（登録商標）では、７９ＭＨｚの周波数帯域内に均一間隔に置かれた１ＭＨｚごとの７９チャンネルを１秒間に１６００回の送受信に区切る周波数ホッピングを用い、他の機器との干渉を低減している。
更に、ホッピング周波数制御部１０７では、Ｂｌｕｅｔｏｏｔｈ装置１０４がＡＦＨ方式でホッピング動作し、２．４ＧＨz帯の周波数を共有する無線技術間の干渉を軽減するために、２．４ＧＨｚ帯域を使用する他のデバイスを検出したときは、そのデバイスが使用している周波数をホッピングパターンから外すことを行う。このとき、ホッピング周波数制御部１０７は、Ｂｌｕｅｔｏｏｔｈで使用される７９個のチャンネルリストにおいて、使用するチャンネルを示したホッピング周波数マップを生成し、Ｂｌｕｅｔｏｏｔｈ装置１０４に渡す。
【００２７】
本実施例では、上記構成の複合無線装置１００において、ＷＬＡＮ装置１０２とＢｌｕｅｔｏｏｔｈ装置１０４とを複合動作させた場合において、Ｂｌｕｅｔｏｏｔｈ装置１０４の通信品質が低下した場合には、協調制御部１０６により、ＷＬＡＮ装置１０２とＢｌｕｅｔｏｏｔｈ装置１０４を時分割制御することで、ＷＬＡＮ装置１０２が使用している周波数帯において、Ｂｌｕｅｔｏｏｔｈ装置１０４が周波数ホッピングすることで解決している。
【００２８】
次に、上述のように構成された複合無線装置１００において、ＷＬＡＮ通信とＢｌｕｅｔｏｏｔｈ通信が同時に動作した場合の協調制御方法について説明する。
本実施の形態は、Ｂｌｕｅｔｏｏｔｈ（登録商標）が同一装置に含まれるＷＬＡＮの使用する周波数帯を除いて周波数ホッピングを行い、同一のタイミングにおいても、ＷＬＡＮとＢｌｕｅｔｏｏｔｈが送信を行う場合についての適用例である。
複合無線端末１００において、ＷＬＡＮ装置１０２がＡＰ２０とＷＬＡＮ接続する場合、ＷＬＡＮ装置１０２はＳｃａｎ（ネットワークを探索すること）を実施し、ＡＰ２０を検索する。ＡＰ２０よりＳｃａｎ応答があった場合、Ｓｃａｎ応答によりＡＰ２０のＢＳＳ情報を取得する。ＢＳＳ情報には、ＡＰ２０の使用周波数の情報が含まれるため、ＡＰ２０と接続を行う際に、ＷＬＡＮ使用周波数を管理部１０５に入力する。
管理部１０５は、ＷＬＡＮ使用周波数をＷＬＡＮ装置１０２から入力されたことを契機に、ホッピング周波数制御部１０７にＷＬＡＮ装置１０２のＷＬＡＮ使用周波数を入力する。
ホッピング周波数制御部１０７は、ホッピング周波数マップからＷＬＡＮ使用周波数を削除して更新し、更新されたホッピング周波数マップをＢｌｕｅｔｏｏｔｈ装置１０４に入力する。
【００２９】
図３に、ホッピング周波数マップの一例を示す。ＷＬＡＮ装置１０２で使用されるチャンネルが６チャンネルの場合、６チャンネルの中心周波数２４３７ＭＨｚから±１１ＭＨｚの帯域２２ＭＨｚ分が自局で利用される周波数帯域として、ホッピング周波数マップから省かれる。Ｂｌｕｅｔｏｏｔｈ装置１０４は入力されたホッピング周波数マップを対向機に通知すると共に、更新されたホッピング周波数マップに基づき、ホッピングを行う。
【００３０】
ＡＦＨと呼ばれる（適応的に干渉が発生する周波数チャネルを避ける）ホッピング方式では、通信中に周波数ホッピングにおいて干渉が生じたチャンネルをホッピング対象から省くため、周りに２．４ＧＨｚ帯の干渉源が存在する場合には、Ｂｌｕｅｔｏｏｔｈ装置１０２がホッピングする周波数帯域が低下し、その結果干渉耐力が劣化する。
図４に示すように、複合無線装置１００のＢｌｕｅｔｏｏｔｈ装置１０２のホッピング可能な周波数チャンネル帯域が低下し、そのチャンネル数が指定した閾値を割った場合には、
管理部１０５がＷＬＡＮ装置１０２で使用する周波数帯域をホッピング周波数制御部１０７に渡す。
本実施形態では、図５に示すように、ＷＬＡＮ装置１０２で使用される周波数帯域をホッピング可能にすることで、Ｂｌｕｅｔｏｏｔｈ装置１０４の干渉耐力の低下を防ぎ、また同時送信による干渉を防ぐために自局のＷＬＡＮ装置１０２とＢｌｕｅｔｏｏｔｈ装置１０４で時分割に制御する。
図６はＷＬＡＮ装置１０２とＢｌｕｅｔｏｏｔｈ装置１０４を時分割で動作させたときの協調制御部１０６による制御を示している。協調制御部１０６がＷＬＡＮ装置１０２に送出されるＷＬＡＮ＿Ａｃｔｉｖｅと、Ｂｌｕｅｔｏｏｔｈ装置１０４に送出されるＢＴ＿Ａｃｔｉｖｅを適宜“Ｈ”および“L”に固定し動作させる。Ｂｌｕｅｔｏｏｔｈ装置１０４を動作させ、ＷＬＡＮ装置１０２を停止させる場合には、ＢＴ＿Ａｃｔｉｖｅを“Ｈ”に、ＷＬＡＮ＿Ａｃｔｉｖｅは“Ｌ”に固定する。
ＷＬＡＮとＢｌｕｅｔｏｏｔｈを時分割で動作させる場合には、それぞれで実行されているアプリケーションを考慮する必要があるが、本実施例では、Ｂｌｕｅｔｏｏｔｈの干渉耐力が低下しているため、Ｂｌｕｅｔｏｏｔｈ装置１０４を優先して、ＷＬＡＮ装置１０２を停止する。また、ＷＬＡＮ装置１０２においてＶｏＩＰ（Ｖｏｉｃｅ ｏｖｅｒ ＩＰ）実施時で、音声を途切れさせない制御については、後述する。
次に、上述のように構成された無線通信装置１００のＷＬＡＮとＢｌｕｅｔｏｏｔｈが協調動作する際の制御方法について説明する。ここで、協調動作とは、（ＷＬＡＮとＢｌｕｅｔｏｏｔｈがそれぞれ対向機と通信する場合に、相互干渉を抑圧）することをいう。
【００３１】
図７は、無線通信装置１００において、ＷＬＡＮ起動時における、Ｂｌｕｅｔｏｏｔｈとの動作内容を決定する処理の詳細を示すフローチャートである。図中、Ｓはフローの各ステップを示す。
【００３２】
まず、ステップＳ７１でＷＬＡＮ装置１０２が起動し、Ｓｃａｎを実施してＡＰの検索を開始する。
ステップ７２では、ＷＬＡＮ装置１０２は管理部に情報を渡す前に、ＡＰに接続したか否かを判定する。
ステップ７３では、ＷＬＡＮ装置１０２はＡＰと接続したチャンネルを管理部１０４に通知する。
ステップ７４では、管理部１０４においてＢｌｕｅｔｏｏｔｈ装置１０４における、ホッピング周波数マップの確認や、ＢＥＲ等の通信品質をモニタしておき、Ｂｌｕｅｔｏｏｔｈ通信の通信品質が劣化していないかの判定を行う。
【００３３】
ステップ７４において、協調制御が不要と判断された場合には、ステップ７５で管理部
１０４は、ホッピング周波数制御部１０５にＷＬＡＮ装置１０２で使用される周波数帯域を通知し、ホッピング周波数制御部１０５は、その時点でのホッピング周波数マップから、ＷＬＡＮの使用帯域を除いたホッピング周波数マップに更新する。
【００３４】
ステップ７６では、管理部１０５は協調制御部１０６に対して、協調動作ＯＦＦを通知し、ＷＬＡＮ装置１０２とＢｌｕｅｔｏｏｔｈ装置１０４は協調動作させず、同時動作を行う。
【００３５】
一方ステップ７４において、協調制御が必要と判断された場合には、ステップ７７で、管理部１０５は協調制御部１０６に対して、協調動作ＯＮを通知し、ＷＬＡＮ装置１０２とＢｌｕｅｔｏｏｔｈ装置１０４は協調動作を開始する。
【００３６】
図８はＷＬＡＮとＢｌｕｅｔｏｏｔｈの同時動作状態から、協調動作に遷移する場合の、処理の詳細を示すフローチャートである。
【００３７】
ＷＬＡＮとＢｌｕｅｔｏｏｔｈがともに起動し、同時動作している場合には、ステップ８１で協調制御開始トリガー待ちとなる。Ｂｌｕｅｔｏｏｔｈ装置１０４の品質劣化を管理部１０５が検出した場合に、協調制御開始トリガーがかかる。
【００３８】
ステップ８２では、管理部１０４はホッピング周波数制御部１０５にＷＬＡＮ装置１０２で使用される周波数帯域を通知し、ホッピング周波数制御部１０５は、その時点でのホッピング周波数マップから、ＷＬＡＮの使用帯域を追加したホッピング周波数マップに更新する。
【００３９】
ステップ８３では、管理部１０５は協調制御部１０６に対して、協調動作ＯＮを通知し、ＷＬＡＮ装置１０２とＢｌｕｅｔｏｏｔｈ装置１０４は協調動作を開始する。
【００４０】
図９は、ＷＬＡＮとＢｌｕｅｔｏｏｔｈの協調動作状態から、同時動作に遷移する場合の、処理の詳細を示すフローチャートである。
【００４１】
ステップ９１では、管理部１０４が、ＷＬＡＮ装置１０２もしくはＢｌｕｅｔｏｏｔｈ装置１０４が対向機との接続を解除したか否か、および、Ｂｌｕｅｔｏｏｔｈ１０４装置の通信品質が協調制御トリガーの閾値を上回ったか否かを判定する。
【００４２】
ステップ９２では、ホッピング周波数マップの更新のため、ＷＬＡＮ装置１０２のＡＰ接続が続いているか否かを判定する。
【００４３】
ステップ９３では、ＷＬＡＮのＡＰ接続が切れている場合に、ホッピング周波数制御部１０７において、ホッピング周波数マップからＷＬＡＮ使用周波数帯域を削除し、更新する。
【００４４】
ステップ９４では、管理部１０５は協調制御部１０６に対して、協調動作ＯＦＦを通知し、ＷＬＡＮ装置１０２とＢｌｕｅｔｏｏｔｈ装置１０４は協調動作させず、同時動作を行う。
【００４５】
ステップ９２において、ＷＬＡＮのＡＰ接続解除が検出された場合には、Ｂｌｕｅｔｏｏｔｈ装置１０４は、ＷＬＡＮ装置１０２の使用周波数帯域を継続利用できるため、ホッピング周波数マップは更新しない。また管理部１０５は協調制御部１０６に対して、協調動作ＯＦＦを通知する。
【００４６】
このように、本実施の形態によれば、ＢｌｕｅｔｏｏｔｈとＷＬＡＮの複数の通信方式を搭載する複合無線装置において、ＢｌｕｅｔｏｏｔｈとＷＬＡＮが同時に対向機と通信動作をする場合に、Ｂｌｕｅｔｏｏｔｈのホッピング周波数マップや、ＢＥＲ等の通信品質を監視し、Ｂｌｕｅｔｏｏｔｈの通信品質が劣化した場合には、ＷＬＡＮとＢｌｕｅｔｏｏｔｈを時分割制御する方法に切替え、かつ、自局のＷＬＡＮが使用する周波数をＢｌｕｅｔｏｏｔｈのホッピング周波数マップに追加することで、Ｂｌｕｅｔｏｏｔｈの通信品質劣化を防ぐことが実現できる。
【００４７】
以上の説明は本発明の好適な実施の形態の例証であり、本発明の範囲はこれに限定されることはない。例えば、システム構成や各デバイスの構成を限定するものではない。
【産業上の利用可能性】
【００４８】
本発明に係る複合無線装置は、ＩＥＥＥ８０２．１１ｘ規格に基づくＷＬＡＮと、ＩＥＥＥ８０２．１５．１規格に基づくＢｌｕｅｔｏｏｔｈなどの複数の無線通信方式を搭載する通信端末装置に幅広く適用することができる。また、ノート型パーソナルコンピュータ、ＰＤＡ等の無線通信機能をもつ携帯の容易な電子機器に広く適用することができる。
【符号の説明】
【００４９】
１０    携帯電話基地局
２０    ＡＰ
３０    ヘッドホン
１００    複合無線装置
１０１、１０３    アンテナ
１０２    ＷＬＡＮ装置
１０４    Ｂｌｕｅｔｏｏｔｈ装置
１０５    管理部
１０６    協調制御部
１０７    ホッピング周波数制御部
【図１】
2011114768.tif 000003
【図２】
2011114768.tif 000004
【図３】
2011114768.tif 000005
【図４】
2011114768.tif 000006
【図５】
2011114768.tif 000007
【図６】
2011114768.tif 000008
【図７】
2011114768.tif 000009
【図８】
2011114768.tif 000010
【図９】
2011114768.tif 000011